(57)【要約】【課題】上蓋及びそれに設けた照明器具が目立たず、圧迫感も少なく、かつ照明器具のメンテナンス等も容易に行い得るようにした体裁のよい展示ケースを提供する。【解決手段】上蓋８が、各透光性パネル６の上端縁に嵌合される枠体３７と、該枠体３７の内周面に連設され、内部に下面が開口する収容空間４６を有する上蓋本体３８とを備え、前記収容空間内４６に、展示空間５を照明する照明器具３９を収容する。【選択図】  図２
2010104613.tif 000002
【特許請求の範囲】
【請求項１】
床面に設置された基台と、該基台の上部に設けた展示台と、該展示台の上方に形成した展示空間の周囲が透光性パネルにより囲まれ、かつ各透光性パネルの上面開口部を、照明器具を有する上蓋により覆ってなるケース本体とを備える展示ケースにおいて、
前記上蓋が、前記各透光性パネルの上端縁に嵌合される枠材と、該枠材の内周面に連設され、内部に下面が開口する収容空間を有する上蓋本体とを備え、前記収容空間内に、前記展示空間を照明する照明器具を収容したことを特徴とする展示ケース。
【請求項２】
上蓋本体における上面板が、枠材の上面とほぼ同一面をなす第１の水平面と、該第１の水平面の内端から展示空間の中央部に向かって斜め上方に傾斜する傾斜面と、該傾斜面の内端と連続し、収容空間と対応する部分に形成された第２の水平面とからなるものとし、第２の水平面の下面に照明器具を取付けたことを特徴とする請求項１に記載の展示ケース。
【請求項３】
照明器具を発光ダイオードとしたことを特徴とする請求項１または２に記載の展示ケース。
【請求項４】
パネル同士をコーナー部において接合する接合材の内部に、照明器具の電源線を、下方に向かって埋設したことを特徴とする請求項１ないし３のいずれかに記載の展示ケース。
【請求項５】
接合材の内部に上下方向を向くパイプを埋設し、このパイプの内部に電源線を挿通したことを特徴とする請求項４に記載の展示ケース。
【発明の詳細な説明】
【技術分野】
【０００１】
本発明は、美術館や博物館等で使用される展示ケースに関する。
【背景技術】
【０００２】
この種の展示ケースとしては、例えば灯型四面ガラスケースと称されている展示ケースがある（例えば、特許文献１参照）。
【０００３】
【特許文献１】特許第３３３６４８４号公報（第３図）
【発明の開示】
【発明が解決しようとする課題】
【０００４】
上記特許文献１に記載されている展示ケースにおいては、基台(台箱部)に設けたガラスパネルの上面に、上下寸法の比較的大きな、下面が開口する上蓋(上箱部)を載設し、この上蓋の内部に、複数の照明器具を設けた構成となっているので、上蓋が目立ちすぎ、展示品を鑑賞する際に圧迫感がある。
【０００５】
また、上蓋を取り外して、照明器具のメンテナンス等を行う際に、上蓋を着脱する作業が面倒である。さらに、複数の照明器具が、上蓋の上面板の下面に直接取り付けられているので、照明器具がケース本体の下方より露見されることがあり、体裁が悪いという問題がある。
【０００６】
本発明は、上記問題点を解決するためになされたもので、上蓋及びそれに設けた照明器具が目立たず、圧迫感も少なく、かつ照明器具のメンテナンス等も容易に行い得るようにした体裁のよい展示ケースを提供することを目的としている。
【課題を解決するための手段】
【０００７】
上記課題を解決するために、本発明の請求項１に記載の展示ケースは、
床面に設置された基台と、該基台の上部に設けた展示台と、該展示台の上方に形成した展示空間の周囲が透光性パネルにより囲まれ、かつ各透光性パネルの上面開口部を、照明器具を有する上蓋により覆ってなるケース本体とを備える展示ケースにおいて、
前記上蓋が、前記各透光性パネルの上端縁に嵌合される枠材と、該枠材の内周面に連設され、内部に下面が開口する収容空間を有する上蓋本体とを備え、前記収容空間内に、前記展示空間を照明する照明器具を収容したことを特徴としている。
この特徴によれば、上蓋は、各透光性パネルの上端縁に嵌着される枠材と、該枠材の内周面に連設され、内部に下面が開口する収容空間を有する上蓋本体とを備え、かつ収容空間内に、展示空間を照明する照明器具を収容したことにより、上蓋の上下寸法を小さくすることが可能となる。従って、上蓋が目立たず、かつ展示品を鑑賞する際の圧迫感も少なく、展示ケースの体裁が向上する。
また、上蓋は、その枠材を各透光性パネルの上端縁に嵌合して装着されているので、上蓋の着脱が比較的簡単であり、照明器具のメンテナンス等を容易に行うことができる。
【０００８】
本発明の請求項２に記載の展示ケースは、請求項１に記載の展示ケースであって、
上蓋本体における上面板が、枠材の上面とほぼ同一面をなす第１の水平面と、該第１の水平面の内端から展示空間の中央部に向かって斜め上方に傾斜する傾斜面と、該傾斜面の内端と連続し、収容空間と対応する部分に形成された第２の水平面とからなるものとし、第２の水平面の下面に照明器具を取付けたことを特徴としている。
この特徴によれば、見かけ上、上蓋本体の上下寸法が小さくなるので、上蓋全体がより目立ちにくくなる。また、上蓋本体における照明器具の収容空間のみの上下寸法が大となり、その部分における第２の水平面の下面に照明器具を取り付けているので、照明器具も目立ちにくくなる。
【０００９】
本発明の請求項３に記載の展示ケースは、請求項１または２に記載の展示ケースであって、
照明器具を発光ダイオードとしたことを特徴としている。
この特徴によれば、照明器具の上下寸法が小さくなるので、それがさらに目立ちにくくなる。
【００１０】
本発明の請求項４に記載の展示ケースは、請求項１ないし３のいずれかに記載の展示ケースであって、
パネル同士をコーナー部において接合する接合材の内部に、照明器具の電源線を、下方に向かって埋設したことを特徴としている。
この特徴によれば、電源線を外部に露呈させることなく、体裁よくケース本体の下方に配線することができる。
【００１１】
本発明の請求項５に記載の展示ケースは、請求項４に記載の展示ケースであって、
接合材の内部に上下方向を向くパイプを埋設し、このパイプの内部に電源線を挿通したことを特徴としている。
この特徴によれば、接合材の内部に埋設したパイプの内部に、電源線を挿通しているので、電源線の配線作業や照明器具のメンテナンス作業等が容易となる。
【発明を実施するための最良の形態】
【００１２】
本発明に係る展示ケースを実施するための最良の形態を実施例に基づいて以下に説明する。
【実施例１】
【００１３】
以下、本発明の実施例としての展示ケースを図面に基づいて説明する。図１は、本発明の展示ケースの正面図、図２は、中央縦断拡大正面図、図３は、図２のIII-III線に沿う縦断側面図、図４は、同じく図２のIV-IVに沿う横断平面図、図５は、同じくV-V線に沿う横断平面図である。
【００１４】
展示ケース１は、図１〜図５に示されるように、床面Ｆに設置され、周囲の４面が化粧パネル２等により覆われた基台３と、展示台４と、展示台４上に形成された展示空間５の周囲の４面を、ガラス等の透光性パネル６により覆ってなるケース本体７とを備え、ケース本体７の上面の開口部には、上蓋８が装着されている。
【００１５】
上記基台３は、外側基台９と、この内部に収容された内側基台１０とからなり、外側基台９は、平面視方形枠状をなす下部フレーム１１と、この下部フレーム１１における四隅部の上面に立設された４本の支柱１２と、これら４本の支柱１２の上端に固着された平面視前向きコ字状の上部フレーム１３と(図４参照)、前部と後部(以下図３及び図４の左方を前として説明する)の左右の支柱１２、１２における上方寄りの対向面同士を連結している前後１対の横杆１４、１４(図５参照)とからなり、４枚の化粧パネル２は、外側基台９を囲むようにして取り付けられている。
【００１６】
図３に２点鎖線で示すように、外側基台９の前面側の化粧パネル２は、その下端と下部フレーム１１の前端部下面とに取り付けた複数のヒンジ部材１５を中心として、前方に開くことができ、かつ裏面の上部の左右２箇所と、前部の横杆１４の両側部とに両端を係止したチェーン１６により、所定の開度で停止させ得るようになっている。前部の横杆１４の下部には、後記する第１、第２油圧シリンダ３２、３４を作動させる操作ユニット１７が設けられており、この前部側の化粧パネル２を開放することにより、操作ユニット１７を操作できるようになっている。
【００１７】
上記内側基台１０は、外側基台９の下部フレーム１１の上面に載置して固定されたベース板１８と、下端がベース板１８の上面の４箇所に固着され、かつ上端部が、前後の横杆１４、１４における両側部の対向面に固着されたアングル状の４本の支柱１９とからなっている。ベース板１８の四隅部の下面には、キャスタ２０と、高さ調節用のアジャスタ２１が取り付けられている。
【００１８】
上記展示台４は、図７に拡大して示すように、外側基台９内を上下方向に移動しうる大きさの水平をなす四方枠２２と、その上面に載設された方形の展示品載置板２３と、四方枠２２の下面に固着された下面板２４とからなっている。下面板２４の周縁には、先端が上向きに折曲されたフランジ片２４ａが、外向きに一体的に連設され、このフランジ片２４ａの上面には、内部が中空をなすシール部材２５の下面が、四方枠２２を囲むようにして固着されている。
【００１９】
尚、展示台４の四方枠２２の側面の一部は側方に開口（図示略）されており、該開口を介して、調湿材（図示略）等が四方枠２２の内部に収容されている。この開口は展示空間５と連通しているので、展示空間５の湿度が調湿材により調整されるようになっている。
【００２０】
図７に示すように、上記ケース本体７の下端部には、平面視方形の枠材２６が設けられ、この枠材２６の内面と外面に固着された枠状のパネル保持板２７、２７間に、４枚の透光性パネル６の下端部が、ゴム等のパッキン２８を介して挟入されている。内側のパネル保持板２７の内面には、上記展示品載置板２３と同じ板厚の上板２９を上面に有する平面視枠状の塞ぎ材３０が固着されている。この塞ぎ材３０は、詳細は後述するが、展示台４がケース本体７内の下部まで上昇した際に、展示台４の外周面とケース本体７の内周面との間に形成される隙間を少なくし、体裁をよくするためのものである。また、上記シール部材２５は、展示台４がケース本体７内の下端部まで上昇した際に、塞ぎ材３０の内周部の下面に当接し、ケース本体７の内周面と展示台４の外周面との間に形成される隙間を密封することにより、ケース本体７内の気密性を保持するためのものである。
【００２１】
図２、図３及び図５に示すように、外側基台９内の四隅部、すなわち下部フレーム１１を構成している左右の側杆１１ａ、１１ａの前後の端部と、上部フレーム１３を構成している左右の側杆１３ａ、１３ａの前後の端部との対向面には、上下方向を向く平面視Ｌ字状の４本のブラケット３１の上下両端が固着されており、各ブラケット３１には、上下方向を向くとともに、ピストンロッド３２ａを上方に向けた第１の油圧シリンダ３２が固定されている。各第１の油圧シリンダ３２のピストンロッド３２ａは、上部の側杆１３ａに穿設された上下方向を向く通孔３３を貫通して、上端が、ケース本体７における枠材２６と塞ぎ材３０の左右両側の前後両端部の下面に連結されている(図７参照)。
【００２２】
第１の油圧シリンダ３２が非作動状態にあるときには、ピストンロッド３２ａは最大限下方に縮退し、ケース本体７が、実質的に、外側基台９における上部フレーム１３の上面により支持されるようになっている。
【００２３】
図２及び図３に示すように、内側基台１０の四隅部に位置する４本の支柱１９には、上下方向を向く第２の油圧シリンダ３４が、ピストンロッド３４ａを上方に向けて固定され、各第２の油圧シリンダのピストンロッド３４ａの上端は、展示台４における四方枠２２の下面に固着された下面板２４の前後左右４箇所の下面に連結されている(図７参照)。各第２の油圧シリンダ３４が非作動状態にあるときには、ピストンロッド３４ａは、最大ストローク伸長した状態にロックされ、展示台４が、ケース本体７の下端部内に嵌挿される使用状態に保持されるようになっている。
【００２４】
各第１及び第２の油圧シリンダ３２、３４には、ベース板１８に載設された２個の電動式油圧モータ３５、３５より、油圧ホース３６を介して圧油が供給されたり、各シリンダ内の圧油が排出されたりするようになっている。
【００２５】
図８に拡大して示すように、上述した上蓋８は、外周部の平面視方形をなす枠体３７と、この枠体３７の内周面に連設された内部が中空をなすケース状の上蓋本体３８とを備え、内部には複数の発光ダイオード５０を有する照明器具３９が収容されている。枠体３７は、平面視方形の枠材４０と、その外面と内面に上端部が固着されたパネル保持板４１、４１とからなり、両パネル保持部材４１を、パッキン４２を介して、４枚の透光性パネル６の上端部に嵌合することにより、上蓋８は、ケース本体７の上面開口部を密閉するようにして載設されている。
【００２６】
上蓋本体３８の上面板３８ａは、枠材４０及びパネル保持部材４１の上面と同一面をなす第１の水平面４３と、この第１の水平面４３の内端から展示空間５の中央方向に向かって斜め上方に傾斜する傾斜面４４と、この傾斜面４４の内端と連続し、展示空間５の中央部と対応する位置に形成された第２の水平面４５とからなっている。
【００２７】
上蓋本体３８内の中央部には、第２の水平面４５と対応する内部を枠状の仕切板４３により仕切ることにより、照明器具３９の収容空間４６が形成されている。この収容空間４６と対応する上蓋本体３８の下面板３８ｂの中央部には、収容空間４６よりも若干小さな開口部４７が形成され、この開口部４７は、収容空間４６内において下面板３８ｂの上面に固定された透光板４８により塞がれている。
【００２８】
上記照明器具３９は、上面板３８ａにおける第２の水平面４５の下面に取り付けられた方形をなす基板４９に、白色発光ダイオード５０を多数組み付けたものよりなり、これを発光させることにより、展示空間５内が上方より照明される。基板４９に接続された、発光ダイオード５０に給電するための電源線５１は、次のようにして、ケース本体７の下方に配線されている。
【００２９】
図９の拡大断面図に示すように、互いに隣接する透光性パネル６の端部同士を、接着剤等の接合材５２により接合する際に、一つのコーナー部における透光性パネル６同士の端部間に、上下両端が開口する上下方向を向くパイプ５３を挟入し、このパイプ５３と共に透光性パネル６の端部同士を接合材５２により接合することにより、パイプ５３を接合材５２内に予め埋設しておく。
【００３０】
このパイプ５３内に、上記電源線５１を上方より挿入することにより、これを、ケース本体７の下方に向かって容易に、かつ目立つのを防止して体裁よく配線することができる。なお、このようなパイプ５３を用いないで、電源線５１が接合材５２の内部に埋設されるように、透光性パネル６の端部同士を接合材５２により接合するようにしてもよい。
【００３１】
上蓋８を上記のような形状とすると、見かけ上、上蓋本体３８の上下寸法が小さくなるので、上蓋８が目立ちにくくなり、かつ展示品を鑑賞する際の圧迫感も小さくなるので、展示ケース１の体裁が向上する。また、上蓋本体３８の上面板３８aにおける第２の水平面４５の下面に、発光ダイオード５０よりなる照明器具３９を取り付けているので、照明器具３９も目立たたなくなる。
【００３２】
次に、展示ケース１の使用例について説明する。図１ないし図３に示すように、展示ケース１が、その展示空間５に収容した展示品Ｓを鑑賞可能な使用状態にあるときには、第１及び第２の油圧シリンダ３２、３４の作動はなく、ケース本体７の下端は、外側基台９の上端に当接し、展示台４は、ケース本体７の下端部内に嵌挿されている。この際、上述したように、展示台４の四方枠２２を囲むようにして、下端部に設けたシール部材２５が、ケース本体７の下端部における塞ぎ材３０の内周部の下面に当接するようになっているため、ケース本体７内の気密性が確実に保持される。また、展示台４の外周面とケース本体７の内周面との間に形成される隙間は、塞ぎ材３０によりほぼ閉塞されているので、体裁がよい。
【００３３】
展示品Ｓを交換する際には、電気式油圧モータ３５を作動させて、各第１の油圧シリンダ３２に圧油を供給するとともに、各第２の油圧シリンダ３４の圧油を排出する。すると、図６に示すように、各第１の油圧シリンダ３２のピストンロッド３２ａが伸長することにより、ケース本体７が基台３に対し上昇させられる。
【００３４】
また同時に、各第２の油圧シリンダ３４のピストンロッド３４ａが下限まで縮退することにより、展示台４は、外側基台９内に向かって下降させられる。これにより、ケース本体７の下端と、展示台４の上面との間が大きく開放されるとともに、展示品Ｓは下方に移動して露呈する。
【００３５】
外側基台９の上部フレーム１３は、平面視前向きコ字状をなして前方に開口しているので、図３の２点鎖線で示すように、前面側の化粧パネル２を、下端を中心として前方に開くことにより、展示品Ｓを前方より取り出すことができ、かつ他の展示品との交換作業も容易に行うことができる。なお、展示品Ｓを交換した後、再度電気式油圧モータ３５を作動させ、第１の油圧シリンダ３２の圧油を排出するとともに、第２の油圧シリンダ３４に圧油を供給すれば、ケース本体７及び展示台４を使用状態に復帰させることができる。
【００３６】
以上説明したように、上記実施形態の展示ケース１においては、透光性パネル６の上端部に装着される上蓋８における上面板３８ａを、枠体３７の上面と同一面をなす第１の水平面４３と、展示空間５の中央部に向かって上向きに傾斜する傾斜面４４と、展示空間の中央部において水平をなす第２の水平面４５を有するものとしてあるので、見かけ上、上蓋８の上下寸法が小さくなる。
【００３７】
従って、上蓋８が目立ちにくくなるとともに、展示品を鑑賞する際の圧迫感も小さくなり、展示ケース１の体裁が向上する。また、上面板３８aにおける第２の水平面の下面に、発光ダイオード５０よりなる照明器具３９を取り付けているので、照明器具３９も目立ちにくくなる。
【００３８】
さらに、上蓋８は、その外周部の枠体３７を透光性パネル６の上端部に嵌合して、ケース本体７の上端部に装着されているので、上蓋８の着脱も比較的容易であり、しかも、照明器具３９の電源線５１は、透光性パネル６同士を接合する接合材５２に埋設したパイプ５３内に挿通して配線されているので、上蓋８を取外して、照明器具３９等のメンテナンス作業等を容易に行うことができる。
【００３９】
なお、上記実施形態では、照明器具３９に、発光ダイオード５０を用いたが、通常の電球もしくは、蛍光灯等を使用してもよい。
【図面の簡単な説明】
【００４０】
【図１】本発明の展示ケースの一実施形態の正面図である。
【図２】同じく、中央縦断拡大正面図である。
【図３】同じく、図２のIII-III線に沿う縦断側面図である。
【図４】同じく、IV-IV線に沿う横断平面図である。
【図５】同じく、V-V線に沿う横断平面図である。
【図６】ケース本体を上昇させ、展示台下降したときの中央縦断正面図である。
【図７】ケース本体の下端部と、展示台との詳細を示す拡大縦断正面図である。
【図８】上蓋の詳細を示す拡大縦断正面図である。
【図９】透光性パネル同士の接合部の拡大横断平面図である。
【符号の説明】
【００４１】
１    展示ケース
２    化粧パネル
３    基台
４    展示台
５    展示空間
６    透光性パネル
７    ケース本体
８    上蓋
９    外側基台
１０  内側基台
２５  シール部材
３０  塞ぎ材
３２  第１の油圧シリンダ（第１の昇降手段）
３４  第２の油圧シリンダ（第２の昇降手段）
３５  電動式油圧モータ
３８  上蓋本体
３９  照明器具
４０  枠材
４３  第１の水平面
４４  傾斜面
４５  第２の水平面
４６  収容空間
４７  開口部
５１  電源線
５２  接合材
５３  パイプ
Ｓ    展示品
【図１】
2010104613.tif 000003
【図２】
2010104613.tif 000004
【図３】
2010104613.tif 000005
【図４】
2010104613.tif 000006
【図５】
2010104613.tif 000007
【図６】
2010104613.tif 000008
【図７】
2010104613.tif 000009
【図８】
2010104613.tif 000010
【図９】
2010104613.tif 000011